(57)【要約】【目的】  臭気ガスや有害ガス或いは湿気や水分を確実に吸着し分解消臭若しくは分解消去し或いは吸湿、吸水された水分を保水したうえ乾燥状況に従い放湿せしめて調湿しえる消臭調湿シート材を提供する。【構成】  伸縮性並びに透気透水性を有し且少なくとも粒径が１μｍ以上の粒体を透過防止しえる紙、或いは生分解性繊維を用いた不織布からなる素地の相互が、ホットメルト接着剤により所要の封入容積からなる封入区画がその全面に亘って均等に形成されてなり、且該封入区画内にその粒径が１μｍ以上で比表面積が１００ｍ２／ｇ以上及び塩基置換容量（ｍｅｑ／１００ｇ）が２００ｍｇ以上の人工ゼオライト粉体が、該封入区画内容積の２０乃至８０％容積割合で封入された構成。【選択図】  図３
2005052606.tif 000002
【特許請求の範囲】
【請求項１】
伸縮性並びに透気透水性を有し且少なくとも粒径が１μｍ以上の粒体を透過防止しえる紙からなる素地の相互が、ホットメルト接着剤により所要の封入容積の封入区画がその全面に亘って均等に形成されてなり、且該封入区画内にその粒径が１μｍ以上で比表面積が１００ｍ２／ｇ以上及び塩基置換容量（ｍｅｑ／１００ｇ）が２００ｍｇ以上の人工ゼオライト粉体が、該封入区画内容積の２０乃至８０％容積割合で封入されてなることを特徴とする消臭調湿シート材。
【請求項２】
素材が生分解性繊維を用いた不織布からなる請求項１記載の消臭調湿シート材。
【発明の詳細な説明】
【発明の詳細な説明】
【産業上の利用分野】
【０００１】  本発明は消臭調湿シート材に係るもので、更に詳しくは多量の臭気や有害ガスを吸着分解並びに分解消去し、若しくは湿気や水分も吸湿、吸水のうえ保水し且乾燥状況により放湿しえ、要介護者シーツや密閉建物空間内のシックハウス防止や消臭調湿シート等には最適な消臭調湿シート材に関する。
【従来技術】
【０００２】  近年においては急速な高齢化社会の到来に従って要介護老人が著しく増大化しており、病院や診療施設等においても治療や診療業務に加えて介護業務比率が富みに高まっており、且在宅要介護老人も著しく増大する一途を辿っている。
【０００３】  他方住生活面においても、近年における都市部の居住用建物は鉄骨や鉄筋コンクリート構造による高層化集合住宅に移行されつつあり、且都市部近郊の戸建住宅においても耐震、耐火並びに防犯性のうえからプレハブ工法やプレカット工法等による居住建物に移行されつつある。
【０００４】  しかしながらこれら居住用建物等は、建物構造精度の向上に加えてアルミサッシュや鉄扉等の建築金物や新建材等の使用とも相俟って建物空間の密閉性が著しく高まっており、これがため多湿期には湿気が籠り建物空間内の寝具や衣類が多量の湿気を吸湿し、而も建物空間内の蒸れや濡れ感が増長され、更には生活臭気等も滞留すること等により極めて不快な建物空間環境となっている。
【０００５】  更に建物空間の密閉性の高まりは建物空間内も温暖化するため、外気温との僅かな較差によっても内壁面等に結露が発生し易く、これにより黴や細菌の繁殖が増長され繁殖臭気の発生ばかりか該黴や細菌を餌料としたダニやシバンムシ等の衛生害虫の蝟集も惹起されて著しく非衛生的環境となる。
加えて密閉性の高まりにより建物空間内には新建材や壁紙或いは収納される家具、調度品等に合成樹脂素材や合成化学塗料若しくは施工のための合成接着剤等が多量に使用されてなるため、これらから揮散滲出する揮発性有機化合物所謂有害ガスが建物空間内に揮散滞留し、数多の疾病を惹起させるシックハウス症候群の原因たることが解明され、社会的に大きな問題として提起されている。
【０００６】  かかる実情に対して従来より物理的吸着容量の大きな活性炭や天然ゼオライト粉体等を紙とともに抄紙して要介護老人用シーツとして使用する先願が特開２００２−３２７３９４号により、活性炭を不織布等のシートに熱接着させて消臭を図る先願として特開平５−１３１１３６号が、或いは活性炭をプラスチックと混合させてシート状となし若しくは活性炭をエチレン酢酸ビニルにより不織布相互間に固着させたシートで消臭を図る先願として特開２０００−２３８１４５号が公知されてなり、更には活性炭や天然ゼオライト等の吸着性粉状物を複数の窪み内に収納包被させ熱融着固定させて消臭フィルターとして用いることが実開平５−６３６３０号等で公知されている。
【０００７】  しかしながら要介護老人用シーツにおいては、要介護老人自体が入浴はおろか排泄物の始末もままならず且多量の発汗や体液に伴う臭気発生に加え排便排尿量も多く、従って仮令単位重量当りの吸着容量の大きな活性炭或いは天然ゼオライトを配合抄紙し或いは不織布等に分散熱接着若しくは分散接着させても発生する多量の臭気若しくはや湿気、水分を吸着し或いは吸湿吸水するための絶対吸着量若しくは絶対吸湿吸水容量が不足し、更には熱融着や接着剤で紙若しくは不織布に固着させる手段では、活性炭や天然ゼオライト等の吸着吸湿に係る膨大数の微際孔隙が閉塞されることとも相俟って消臭性や吸湿性も殆んど発揮されぬ状態となる。
加えて活性炭を混合抄紙させたものは前記絶対吸着容量や吸湿容量の不足と、且抄紙強力が極度に低下し僅かな吸湿吸水により崩壊し実用性能を保持しえぬ問題をも抱える。
【０００８】  更に実開平５−６３６３０号の如く比較的多量の活性炭や天然ゼオライトを収納包被しえる先願においても、収納包被のうえ熱融着固定させるものでは臭気や有害ガス或いは湿気、水分等が該収納包被された活性炭や天然ゼオライトの外表面のみの吸着や吸湿に制約され、折角多量の活性炭や天然ゼオライトを使用しても有効な消臭性や吸湿性が発揮されず且熱融着固定に際しても多孔性シート素材如何によってインパルスや高周波若しくは超音波ウェルダー等の使い分けをせねばならぬため、熱融着固定に多大な時間を要し且コスト的に高価となるばかりか、形成される厚さも固定されるため使用範囲が制限され、而も全体的に硬剛となるため要介護老人用シーツ等への利用にはそぐわぬものとなる。
【０００９】  発明者はかかる問題に鑑み研究を重ねた結果、繊維長の長い製紙原料を用いて製紙してなる薄葉紙若しくは家庭用薄葉紙は伸縮性とともに透気透湿性を保持し且廃棄性にも優れること、或いは生分解性繊維を用いて不織布となしたものでも伸縮性と透気透湿性を保持し且廃棄性に優れた素地が形成しえることを初め、臭気ガスや有害ガス若しくは湿気や水分を積極的に吸着若しくは吸湿、吸水させるうえからは、その粒径が小さく接触表面積率の大きなものが好適で、且吸着若しくは吸湿、吸水を効率良くなすためには吸着容量若しくは吸湿、吸水容量の大きなもの所謂比表面積の大きなものが好適であり、而も吸着した臭気ガスや有害ガス等は触媒作用と且強い塩基置換性とにより容易に分解消臭若しくは分解消去しえ、而もかかる条件を具備する素材としては人工ゼオライト粉体が好適であることを究明するに至った。
【００１０】  加えてこの人工ゼオライト粉体を全体に亘って均等に且臭気ガスや有害ガス或いは湿気や水分を確実に吸着若しくは吸湿、吸水させるためにはその絶対吸着容量若しくは絶対吸湿吸水容量が膨大量に形成されるような所要量を以って区画封入させ、而もこの区画封入される人工ゼオライト粉体のそれぞれに臭気ガスや有害ガス或いは湿気や水が吸着若しくは吸湿、吸水させるため該人工ゼオライト粉体が遊動自在に封入区画されるように接着封入させ、及び該接着封入に際しては素地の一側面にホットメルト接着剤による所要の形状面積及び間隔を以って接着枠縁を形成させることにより、容易に封入区画が形成しえることを想到し本発明に至った。
【発明が解決しようとする課題】
【００１１】  本発明は多量の臭気ガスや有害ガス或いは湿気や水分の発生に際しても確実に吸着及び吸湿、吸水し且吸着された臭気ガスや有害ガスの分解消臭並びに分解消去と吸湿吸水された湿気、水分を保水し而も乾燥状況に従って放湿せしめて調湿をなしえる、消臭調湿シート材を提供することにある。
【課題を解決するための手段】
【００１２】  上述の課題を解決するために本発明が用いた技術的手段は、伸縮性並びに透気透湿性を有し且少なくとも１μｍ以上の粉体を透過防止しえる紙、若しくは生分解性繊維を用いて伸縮性並びに透気透湿性を有し且少なくとも１μｍ以上の粉体を透過防止しえる不織布を素地として用い、この素地相互がホットメルト接着剤により所要の封入容積の封入区画がその全面に亘って均等に形成されてなるとともに、この封入区画内には臭気ガスや有害ガス若しくは湿気や水分を積極的に吸着若しくは吸湿、吸水させるうえからその粒径が１μｍ以上の微粒状で接触表面積率が極めて大きく、且臭気ガスや有害ガス若しくは湿気や水分を効率良く吸着若しくは吸湿、吸水させるうえから、その吸着容量若しくは吸湿、吸水容量の大きなもの所謂比表面積の大きなものが要請されるため、その比表面積において少なくとも１００ｍ２／ｇ以上で且吸着された臭気ガスや有害ガスを分解消臭し若しくは分解消去させるうえからは、その本質的に保持する触媒作用に強い塩基置換性を付与せしめることが望まれるため、塩基置換容量（ｍｅｑ／１００ｇ）においては２００ｍｇ以上の人工ゼオライト粉体が用いられる。
【００１３】  そしてかかる人工ゼオライト粉体により、多量に発生する臭気ガスや有害ガス若しくは湿気や水分を確実に吸着し若しくは吸湿、吸水せしめるうえからは、その吸着並びに吸湿、吸水をなしえる絶対吸着容量並びに絶対吸湿、吸水容量に足る人工ゼオライト粉体量を素地全面に亘って均等に、且人工ゼオライト粉体のそれぞれが遊動自在に封入区画されるよう、素地相互をホットメルト接着剤により所要の封入容積を以って封入区画が形成され、而もこの封入区画される人工ゼオライト粉体が封入容積の２０乃至８０％の容積割合で封入されてなる構成に存する。
【作用】
【００１４】  本発明は上述の如き構成からなるものであって、使用する素地が伸縮性並びに透気性と透水性を有し且その粒径が１μｍ以上の粒体を透過防止しえる紙、若しくは生分解性繊維よりなる不織布を用いてなるため廃棄が自在になしえるばかりか、該素地相互がホットメルト接着剤により所要の封入容積の封入区画がその全面に亘って均等に形成され、且この封入区画内に粒径が１μｍ以上で比表面積が１００ｍ２／ｇ以上及び塩基置換容量（ｍｅｑ／１００ｇ）が２００ｍｇ以上の人工ゼオライト粉体のそれぞれが遊動自在に封入されるように該封入区画内容積の２０乃至８０％容積割合で封入されてなるため、臭気ガスや有害ガス或いは湿気や水分が素地を容易に透気透湿して接触表面積率が大きく且絶対吸着容量並びに絶対吸湿、吸水容量の膨大な人工ゼオライト粉体と十分に接触できるため、積極的且効率良く而も確実に吸着若しくは吸湿、吸水されるとともに、吸着された臭気ガスや有害ガスはその本質的に保持する触媒作用と強い塩基置換性とにより分解消臭並びに分解消去され、更には吸湿吸水された水分も一旦保水されたうえ、乾燥状況に従って放湿されて調湿がなされることとなる。
【００１５】  更に封入区画内に封入される人工ゼオライト粉体が、その封入区画内容積の２０乃至８０％容積割合で封入されるため封入に伴う固着化がなされぬから、本発明消臭調湿シート材が極めて柔軟性を保持し且厚さも固定されることもなくなる。
加えて封入区画の形成に際しても予め素地の一方側にホットメルト接着剤で封入区画の形状や大きさ或いは所要の間隔を以って接着枠縁を塗着させておくことにより、人工ゼオライト粉体の所要量を配位載置させたうえ、加熱加圧させるのみで簡便且能率的に接着形成がなしえる。
【実施例】
【００１６】  以下に本発明実施例を図とともに詳細に説明すれば、図１はホットメルト接着剤により接着枠縁が塗着された素地の説明図、図２は封入区画の接着封入方法の例示説明図であって、素地１は主たる使用目的が要介護老人用シーツや建物内の消臭調湿用等短期に廃棄されるものへの利用が多いことから廃棄性に優れるとともに、該素地１を透気透湿させて発生する臭気ガスや有害ガス或いは湿気や水分が吸着若しくは吸湿、吸水されるよう透気透湿性を保持すること、及び確実に臭気ガスや有害ガスを吸着させたうえ分解消臭若しくは分解消去させ或いは湿気や水分を吸湿、吸水させて保水するに足る絶対吸着容量若しくは絶対吸湿、吸水容量に見合う人工ゼオライト粉体３Ｂの所要量を全面に亘って均等に封入区画し、配位させるうえから伸縮性を保持するものが望ましく、従って該素地１の具体的素材としては紙が好適で、とりわけ薄葉紙や家庭用薄洋紙が最適であり、而も封入区画配位される人工ゼオライト粉体３Ｂは可能な限りその接触表面積率の大きなもの即ち微粒状のものが臭気ガスや有害ガス若しくは湿気や水分の積極的吸着或いは吸湿、吸水のうえから好都合で、これがためにはその粒径が１乃至３０μｍ程度のものが使用されることから、少なくとも１μｍ以上の粒体の透過を防止しえるものが使用される。【００１７】  更に素地１はこれら紙に代えて生分解性繊維による不織布も使用できるもので、該不織布を使用する場合にも紙と同様に伸縮性を初め透気透湿性に加えてその粒径が１μｍ以上の粒体の透過防止機能を保持するものが使用される。生分解性繊維の素材としてはポリ乳酸や芳香族ポリエステル等が挙げられ、且該素材による略１乃至１５デニール程度の生分解性繊維で不織布を形成すれば良い。【００１８】  かくしてなる素地１の全面に亘って均等に人工ゼオライト粉体３Ｂを封入区画３Ａし配位させるものであって、素地１が紙や生分解性繊維よりなる不織布が用いられ且所要量の人工ゼオライト粉体３Ｂをそれぞれの封入区画３Ａ内に配位させるうえからは、短時に素地１相互を接着封入３Ｃさせて封入区画３Ａを配位形成させるうえから、ホットメルト接着剤１Ａが用いられる。【００１９】  この素材１相互をホットメルト接着剤１Ａにより全面に亘って人工ゼオライト粉体３Ｂの所要量を封入させて封入区画３Ａを形成させる手段は特段の制約はないが、安価で且能率的に封入区画３Ａを形成させる好適な封入区画形成手段２Ａの１つとしては、図２に示すように素地１の一方の一側面に、ホットメルト接着剤１Ａを予め封入区画３Ａ内に封入される人工ゼオライト粉体３Ｂの封入区画容量に比べて十分に大きい封入区画内容積に見合う容積で接着封入３Ｃがなしえるよう、且適宜の形状と間隔を以って接着枠縁１０Ａが塗着された素地２と無塗着素地１とを加熱加圧ロール２Ｂで挟持加熱加圧させるとともに、該加熱加圧ロール２Ｂの挟持直前において適宜の形状で塗着されたホットメルト接着剤１Ａの接着枠縁１０Ａ内に所要量の人工ゼオライト粉体３Ｂを供給口２Ｃよりそれぞれに配し、而して加熱加圧ロール２Ｂで挟持加熱加圧によりホットメルト接着剤１Ａの接着枠縁１０Ａを接着封入３Ｃさせるものである。
そして加熱加圧ロール２Ｂは当然にホットメルト接着剤１Ａを熔融しうる温度に保持され、且人工ゼオライト粉体３Ｂが配された部分は膨らみを有するため、加熱加圧ロール２Ｂはシリコーンゴム等伸縮弾性を保持するものが使用される。【００２０】  かかる場合において使用するホットメルト接着剤１Ａにも特段の制約はなく、素地１相互を強度に接着封入３Ｃできるものであれば使用可能であるが、本発明の使用途においては比較的短時に廃棄されるものが多く、従って廃棄性に優れる成分のものが望ましく、具体的にはエチレン酢酸ビニル共重合樹脂やスチレンブタジェンブロックゴムやスチレンイソプレンブロックゴム等が挙げられる。
そして該ホットメルト接着剤１Ａが塗着され形成される接着枠縁１０Ａの接着幅は、使用される素地１の性状や接着封入３Ｃされる人工ゼオライト粉体３Ｂの封入容量等により具体的に決定されるが、封入容量が少ない場合では略１乃至３ｍｍ程度、封入容量が多い場合では略３乃至６ｍｍ程度が目安となる。【００２１】  かくしてホットメルト接着剤１Ａによる接着枠縁１０Ａが塗着された素地２と無塗着の素地１とを用いて、それぞれの接着枠縁１０Ａ内に所要量の人工ゼオライト粉体３Ｂがそれぞれ配されたうえ素地２及び素地１相互を接着封入３Ｃさせることにより本発明消臭調湿シート材３が形成されるもので、該接着封入３Ｃにより全面に亘って均等に形成される封入区画３Ａ内に封入される人工ゼオライト粉体３Ｂの封入重量としては、一般的な使用目的における臭気ガスや有害ガスの吸着或いは湿気や水分の吸湿、吸水のためには素地１の１ｍ２当り略１００乃至３００ｇ程度が望まれるため、仮りに封入区画３Ａが１００個／ｍ２の割合で形成された場合には、それぞれの封入区画３Ａ内の人工ゼオライト粉体３Ｂの封入重量としては略１乃至３ｇ程度となる。【００２２】  そして封入区画３Ａ内への人工ゼオライト粉体３Ｂの封入に際して肝要なことは、本発明消臭調湿シート材３を用いた実用使用時において素地１に接触する臭気ガスや有害ガス或いは湿気や水分を容易に透気透湿させ且その封入区画３Ａ内に封入されてなる人工ゼオライト粉体３Ｂに確実に吸着若しくは吸湿、吸水させること及び全体に亘って柔軟性並びに変形性を付与せしめて加工性や使用性を高めるうえからは、封入区画３Ａ内に封入される人工ゼオライト粉体３Ｂが遊動自在に封入されることにある。
これがためには図３において理解されるように、封入区画３Ａの容積に対して封入される人工ゼオライト粉体３Ｂが２０乃至８０％の容積割合で封入させることにある。【００２３】  図４は本発明消臭調湿シート材３を用いた要介護老人用シーツ４の説明図であって、該要介護老人用シーツ４は所望の幅及び長さに合せて本発明消臭調湿シート材３の接着枠縁１０Ａの部分を裁断させるのみで封入区画３Ａ内に封入されてなる人工ゼオライト粉体３Ｂを漏出させることなく所要の形状及び大きさに形成でき且実用使用に供することが可能となる。
【発明の効果】
【００２４】  本発明は以上述べたように、使用する素地が紙若しくは生分解性繊維よりなる不織布が用いられるため、要介護老人用シーツ等使い捨てされる製品等への利用でも廃棄が容易であり、且該素地は透気透水性を有するとともにその粒径が１μｍ以上の粒体の透過が防止しえるとともに、この素地相互がホットメルト接着剤により全面に亘って均等に而も所望量の人工ゼオライト粉体が接着封入されて封入区画が形成され、且該封入区画内にはその粒径が１μｍ以上の微粒状の接触表面積率が極めて大きく比表面積が１００ｍ２／ｇ以上及び塩基置換容量（ｍｅｑ／１００ｇ）が２００ｍｇ以上の人工ゼオライト粉体が、絶対吸着並びに吸湿、吸水容量に足る所要量で且封入区画容積に対し２０乃至８０％容積割合で封入されてなるため、微粒状の人工ゼオライト粉体各個が自在に遊動でき有効且確実な吸着や吸湿、吸水がなされる。
【００２５】  従って本発明を要介護老人用シーツや建物内の消臭調湿シート等に使用した場合には、多量に発生する臭気や有害ガス或いは湿気や水分が素地表面から容易に透気透湿されるとともに、それぞれの封入区画内に封入されてなる接触表面積率が極めて大きく絶対吸着並びに吸湿、吸水容量の膨大な人工ゼオライト粉体に積極的且効率的に而も確実に吸着並びに吸湿、吸水されるとともに、吸着された臭気ガスや有害ガスがその保持する触媒作用と且強い塩基置換性とにより容易に分解消臭並びに分解消去され、更に吸湿、吸水された水分も一旦人工ゼオライト粉体内に保水されたうえ、近傍の乾燥状況に合せて放湿されて調湿作用が働くことから、発汗や排尿等の吸湿、吸水がなされても短時に放湿されて蒸れや濡れ感がなくなり爽快な使用感で使用ができる。
加えて封入区画内には、その内容積の２０乃至８０％容積割合で人工ゼオライト粉体が封入されてなるため、全体的に柔軟性が付与され二次加工性とともに形成された製品の使用感も良好となり、而も厚みも自在に変動しえるため建物内の押入れ、タンスその他収納具等の消臭調湿シートとして広範囲に使用できる等、多くの優れた特長を具備する消臭調湿シート材といえる。
【図面の簡単な説明】
【図１】  接着枠縁が塗着された素地の説明図である。
【図２】  封入区画の接着封入方法の例示説明図である。
【図３】  本発明の拡大断面説明図である。
【図４】  本発明による要介護老人用シーツの説明図である。
【符号の説明】
１    素地
１Ａ  ホットメルト接着剤
１０Ａ  接着枠縁
２    接着枠縁が塗着された素地
２Ａ  封入区画形成手段
２Ｂ  加熱加圧ロール
２Ｃ  人工ゼオライト粉体供給口
３    本発明消臭調湿シート材
３Ａ  封入区画
３Ｂ  人工ゼオライト粉体
３Ｃ  接着封入
４    本発明を用いた要介護老人用シーツ
【図１】
2005052606.tif 000003
【図２】
2005052606.tif 000004
【図３】
2005052606.tif 000005
【図４】
2005052606.tif 000006